(57)【要約】【課題】ＭＲＩ装置において、静磁場や高周波磁場パルスの空間的な不均一による不要信号の抑圧ムラを、ＳＡＲを高めることなく低減する。【解決手段】複数の信号抑圧パルスのパルス強度を変化させて得られた信号を用いて作成した残留信号曲線において信号強度が０または０に最も近い極値をとるパルス強度の組を決定し、決定したパルス強度を前記信号抑圧パルスの強度とする。極値はパルス強度比を維持しながらフリップアングルを変化させて最も小さいものを選択し、その後、１のパルス強度のみ変化させて極値が０、あるいは０に最も近い値になるようパルス強度を調整する。【選択図】  図７
2008272185.tif 000002
【特許請求の範囲】
【請求項１】
静磁場空間に置かれた被検体に傾斜磁場を印加する傾斜磁場印加手段、前記被検体に高周波磁場パルスを照射する高周波磁場パルス照射手段および前記被検体から発生する核磁気共鳴信号を受信する受信手段を備える撮影手段を有する核磁気共鳴撮影装置であって、
前記撮影手段を制御し、所定の原子核からの信号を抑圧する複数の高周波パルスであって、少なくとも１つのパルス強度が他の信号抑圧パルスのパルス強度と異なる高周波磁場パルス（信号抑圧パルス）の照射を含む信号抑圧パルスシーケンスを実行するシーケンス制御手段と、
前記信号抑圧パルスシーケンスで用いられる複数の信号抑圧パルスのパルス強度を調整するパルス強度調整手段と、を備え、
前記パルス強度調整手段は、前記複数の信号抑圧パルスのパルス強度の組を変化させて前記信号抑圧パルスシーケンスを実行し、得られる信号の強度をプロットした信号強度曲線において信号強度が０または０に最も近い値となる極値をとるパルス強度の組を選択し、それぞれ、当該複数の信号抑圧パルスのパルス強度とすること
を特徴とする核磁気共鳴撮影装置。
【請求項２】
請求項１記載の核磁気共鳴撮影装置であって、
前記パルス強度調整手段は、
前記複数の信号抑圧パルスのパルス強度の組を第一の条件を満たす中で変化させて、前記極値をとるパルス強度の組を選択する第一のパルス強度決定手段と、
前記第一のパルス強度決定手段で決定したパルス強度の組を、さらに第二の条件を満たす中で変化させて、前記０または０に最も近い値となるパルス強度の組を選択する第二のパルス強度選択決定手段と、を備えること
を特徴とする核磁気共鳴撮影装置。
【請求項３】
請求項２記載の核磁気共鳴撮影装置であって、
前記第一の条件は、前記複数の信号抑圧パルスのパルス強度比を固定するものであり、
前記第二の条件は、前記複数の信号抑圧パルス強度のうち、１のパルス強度のみ変化させるものであること
を特徴とする核磁気共鳴撮影装置。
【請求項４】
請求項２または３記載の磁気共鳴撮影装置であって、
前記第一のパルス強度決定手段は、前記信号強度曲線において極値をとるパルス強度の組の中で、当該パルス強度の和が最も小さいパルス強度の組を選択すること
を特徴とする核磁気共鳴撮影装置。
【請求項５】
静磁場空間に置かれた被検体に傾斜磁場を印加する傾斜磁場印加手段、前記被検体に高周波磁場パルスを照射する高周波磁場パルス照射手段および前記被検体から発生する核磁気共鳴信号を受信する受信手段を備える撮影手段を有する核磁気共鳴撮影装置であって、
前記撮影手段を制御し、所定の原子核からの信号を抑圧する複数の高周波パルスであって、少なくとも１つのパルス強度が他の信号抑圧パルスのパルス強度と異なる高周波磁場パルス（信号抑圧パルス）の照射を含む信号抑圧パルスシーケンスを実行するシーケンス制御手段と、
前記信号抑圧パルスシーケンスで用いられる複数の信号抑圧パルスのパルス強度を調整するパルス強度調整手段と、を備え、
前記パルス強度調整手段は、
前記複数の信号抑圧パルスの強度比を設定するパルス強度比設定手段と、
前記パルス強度比設定手段で設定した前記パルス強度比を維持しながら当該複数の信号抑圧パルスのパルス強度を変化させて前記信号抑圧パルスシーケンスを実行して信号を取得する第一の計測制御手段と、
前記第一の計測手段が取得した複数の信号の強度をプロットした第一の残留信号曲線を算出する残留信号曲線計算手段と、
前記第一の残留信号曲線を用いて、前記複数の信号抑圧パルスのパルス強度の和が最も小さく、かつ、極値となるパルス強度の組を選択し、当該複数の信号抑圧パルスの強度とする第一のパルス強度決定手段と、
前記第一のパルス強度決定手段で選択したパルス強度を有する前記複数の信号抑圧パルスのうち、１つの信号抑圧パルスのパルス強度を変化させて前記信号抑圧パルスシーケンスを実行して信号を取得する第二の計測制御手段と、
前記第二の計測手段が取得した複数の信号の強度をプロットした第二の残留信号曲線を算出する残留信号曲線計算手段と、
前記第二の残留信号曲線を用いて、信号強度が０または０に最も近い値をとるパルス強度を選択し、前記第二の計測制御手段で変化させた１つの信号抑圧パルスの強度と決定する第二のパルス強度決定手段と、を備えること
を特徴とする核磁気共鳴撮影装置。
【請求項６】
請求項３から５いずれか１記載の核磁気共鳴撮影装置であって、
前記信号抑圧パルスは３つであり、
前記パルス強度比は、前記３つの信号抑圧パルスのうち１つのパルスの強度を１とするとき、他の２つのパルスの強度は、それぞれ１以上２未満の範囲で設定すること
を特徴とする核磁気共鳴撮影装置。
【請求項７】
請求項１から６いずれか１項記載の核磁気共鳴撮影装置であって、
前記シーケンス制御手段は、前記信号抑圧パルスシーケンスの後続パルスシーケンスとして、少なくとも１つの高周波磁場パルスの照射を含む本計測パルスシーケンスを備えること
を特徴とする核磁気共鳴撮影装置。
【請求項８】
請求項７に記載の核磁気共鳴撮影装置であって、
前記信号抑圧パルスは、水プロトンからの信号を抑圧する高周波磁場パルスであり、
前記本計測パルスシーケンスは、少なくとも１つの励起用高周波磁場パルスの自由減衰信号の取得を含むＭＲＳパルスシーケンスであること
を特徴とする核磁気共鳴撮影装置。
【請求項９】
請求項７に記載の核磁気共鳴撮影装置であって、
前記信号抑圧パルスは、水プロトンからの信号を抑圧する高周波磁場パルスであり、
前記本計測パルスシーケンスは、少なくとも１つの励起用高周波磁場パルスと、位相エンコード傾斜磁場の印加と、前記反転高周波磁場パルス照射後の自由減衰信号の取得とを含むＭＲＳＩパルスシーケンスであること
を特徴とする核磁気共鳴撮影装置。
【請求項１０】
請求項７に記載の核磁気共鳴撮影装置であって、
前記信号抑圧パルスは、脂肪プロトンからの信号を抑圧する高周波磁場パルスであり、
前記本計測パルスシーケンスは、少なくとも１つの励起用高周波磁場パルスの照射と、位相エンコード傾斜磁場および読み出し傾斜磁場の印加と、前記エコー信号の取得とを含むＭＲＩパルスシーケンスであること
を特徴とする核磁気共鳴撮影装置。
【請求項１１】
静磁場空間に置かれた被検体に傾斜磁場を印加する傾斜磁場印加手段と、前記被検体に高周波磁場パルスを照射する高周波磁場パルス照射手段と、前記被検体から発生する核磁気共鳴信号を受信する受信手段と、前記撮影手段を制御し、所定の原子核からの信号を抑圧する複数の高周波パルスであって、少なくとも１つのパルス強度が他の信号抑圧パルスのパルス強度と異なる高周波磁場パルス（信号抑圧パルス）の照射を含む信号抑圧パルスシーケンスを実行するシーケンス制御手段と、を備える撮影手段を有する核磁気共鳴撮影装置における前記複数の信号抑圧パルスのパルス強度を調整するパルス強度調整方法であって、
前記複数の信号抑圧パルスのパルス強度の組を第一の条件を満たす中で変化させて、前記信号抑圧パルスシーケンスを実行し、得られる信号の強度をプロットした信号強度曲線において信号強度が極値をとるパルス強度の組を選択する第一のパルス強度決定ステップと、
前記第一のパルス強度決定ステップで決定したパルス強度の組を、さらに第二の条件を満たす中で変化させて、前記信号抑圧パルスシーケンスを実行し、前記信号強度曲線おいて信号強度が０または０に最も近い値となるパルス強度の組を選択する第二のパルス強度選択決定ステップと、を備えること
を特徴とするパルス強度調整方法。
【発明の詳細な説明】
【技術分野】
【０００１】
本発明は、核磁気共鳴撮影装置（以下、ＭＲＩ装置という）および方法に係り、特に、測定対象としない不要な物質からの信号を抑圧する信号抑圧パルスの強度調整技術に関する。
【背景技術】
【０００２】
ＭＲＩ装置で計測される核磁気共鳴信号には、分子構造の違いによって、共鳴周波数が僅かに異なる化学シフト現象が生じる。この現象を利用して、分子（代謝物質）ごとに核磁気共鳴信号を分離し、スペクトルを得るＭＲＳ（Ｍａｇｎｅｔｉｃ  Ｒｅｓｏｎａｎｃｅ  Ｓｐｅｃｔｒｏｓｃｏｐｙ）や、さらに代謝物質ごとの空間的な信号強度分布を画像化するＭＲＳＩ（Ｍａｇｎｅｔｉｃ  Ｒｅｓｏｎａｎｃｅ  Ｓｐｅｃｔｒｏｓｃｏｐｉｃ  Ｉｍａｇｉｎｇ：  核磁気共鳴スペクトロスコピックイメージング）が知られている。
【０００３】
ＭＲＳやＭＲＳＩで検出できる人体の主な代謝物質には、コリン、クレアチン、Ｎ−アセチルアスパラギン酸、乳酸等がある。これら代謝物質の量から、がん等の代謝異常疾患の進行度判定や早期診断が可能となる。また、腫瘍の悪性度診断を非侵襲的に行うことが可能となる。
【０００４】
人体内にある代謝物質は、体内にある水分子の１／１０００程度の信号強度しかないため、水信号に埋もれて通常は検出できない。そこで、代謝物質を計測するために、計測に不要な水や脂肪の信号を抑圧する。例えば、計測に不要な信号の周波数帯域と同程度の周波数帯域を有するパルスで、予め不要信号を抑圧し、辺縁にある代謝物質信号を検出する方法がある（例えば、特許文献１参照。）。このように不要信号の共鳴周波数帯域付近を擬似飽和して信号抑圧する方法はＣＨＥＳＳ（ＣＨＥｍｉｃａｌ  Ｓｈｉｆｔ  Ｓｅｌｅｃｔｉｖｅ）法と呼ばれている。
【０００５】
ＣＨＥＳＳ法において、擬似飽和に用いるパルス（ＣＨＥＳＳパルス、または、信号抑圧パルス）は、ひとつでもよい。しかし、通常、３つのＣＨＥＳＳパルスが３軸方向のスポイラー傾斜磁場と組み合わせて用いられる。ＣＨＥＳＳ法では、不要な水信号を充分に抑圧するために、ＣＨＥＳＳパルスの強度（フリップアングル）を最適な値で照射することが重要である。
【０００６】
最適なＣＨＥＳＳパルスの強度を決定する代表的な方法に以下の従来法１及び従来法２がある。従来法１は、３つのＣＨＥＳＳパルスの強度比を１：１：１とし、その強度（フリップアングル）を細かく変化させながら水信号を取得する。そして、この水信号が０、あるいは０に近い値となるパルス強度（フリップアングル）を最適パルス強度とする。また、従来法２は、３つのＣＨＥＳＳパルスの強度（フリップアングル）をそれぞれ、９０度、９０度、１８０度に設定する（例えば、非特許文献１参照。）。
【０００７】
【特許文献１】特開昭６０−１６８０４１号公報
【非特許文献１】ジャーナル  オブ  マグネティック  レゾナンス  第１０６巻  第１８１頁〜１８６頁  １９９５年発行
【発明の開示】
【発明が解決しようとする課題】
【０００８】
従来法１は、静磁場および高周波磁場パルスの空間的な不均一によって、不要信号の空間的な抑圧ムラが生じる。また、従来法２は、静磁場や高周波磁場パルスの空間的な不均一による不要信号の抑圧ムラは軽減する。しかし、高周波磁場パルスの照射パワーが増加するため、人体に対する電力比吸収率（ＳＡＲ：Ｓｐｅｃｉｆｉｃ  Ａｂｓｏｒｐｔｉｏｎ  Ｒａｔｅ）が増大する。
【０００９】
本発明は上記事情に鑑みてなされたもので、ＭＲＩ装置において、静磁場や高周波磁場パルスの空間的な不均一による不要信号の抑圧ムラを、ＳＡＲを高めることなく低減することを目的とする。
【課題を解決するための手段】
【００１０】
本発明は、複数の信号抑圧パルスのパルス強度を変化させて得られた信号を用いて作成した残留信号曲線において信号強度が０または０に最も近い極値をとるパルス強度の組を前記信号抑圧パルスの強度とする。極値は、パルス強度比を維持しながらフリップアングルを変化させて最も小さいものを選択し、その後、１つのパルス強度のみ変化させて極値が０、あるいは０に最も近い値になるようパルス強度を調整する。
【００１１】
具体的には、静磁場空間に置かれた被検体に傾斜磁場を印加する傾斜磁場印加手段、前記被検体に高周波磁場パルスを照射する高周波磁場パルス照射手段および前記被検体から発生する核磁気共鳴信号を受信する受信手段を備える撮影手段を有する核磁気共鳴撮影装置であって、前記撮影手段を制御し、所定の原子核からの信号を抑圧する複数の高周波パルスであて、少なくとも１つのパルス強度が他の信号抑圧パルスのパルス強度と異なる高周波磁場パルス（信号抑圧パルス）の照射を含む信号抑圧パルスシーケンスを実行するシーケンス制御手段と、前記信号抑圧パルスシーケンスで用いられる複数の信号抑圧パルスのパルス強度を調整するパルス強度調整手段と、を備え、前記パルス強度調整手段は、前記複数の信号抑圧パルスの強度比を設定するパルス強度比設定手段と、前記パルス強度比設定手段で設定した前記パルス強度比を維持しながら当該複数の信号抑圧パルスのパルス強度を変化させて前記信号抑圧パルスシーケンスを実行して信号を取得する第一の計測制御手段と、前記第一の計測手段が取得した複数の信号の強度をプロットした第一の残留信号曲線を算出する残留信号曲線計算手段と、前記第一の残留信号曲線を用いて、前記複数の信号抑圧パルスのパルス強度の和が最も小さく、かつ、極値となるパルス強度の組を選択し、当該複数の信号抑圧パルスの強度とする第一のパルス強度決定手段と、前記第一のパルス強度決定手段で選択したパルス強度を有する前記複数の信号抑圧パルスのうち、１つの信号抑圧パルスのパルス強度を変化させて前記信号抑圧パルスシーケンスを実行して信号を取得する第二の計測制御手段と、前記第二の計測手段が取得した複数の信号の強度をプロットした第二の残留信号曲線を算出する残留信号曲線計算手段と、前記第二の残留信号曲線を用いて、信号強度が０または０に最も近い値をとるパルス強度を選択し、前記第二の計測制御手段で変化させた１つの信号抑圧パルスの強度と決定する第二のパルス強度決定手段と、を備えることを特徴とする核磁気共鳴撮影装置を提供する。
【発明の効果】
【００１２】
本発明によれば、ＭＲＩ装置において、静磁場や高周波磁場パルスの空間的な不均一による不要信号の抑圧ムラを、ＳＡＲを高めることなく低減することができる。
【発明を実施するための最良の形態】
【００１３】
以下、本発明を適用する第一の実施形態を図面を用いて説明する。図１（ａ）〜（ｃ）は、本実施形態の核磁気共鳴撮影装置の全体構成と外観図とを例示したものである。図１（ａ）はソレノイドコイルで静磁場を発生するトンネル型磁石を用いた水平磁場方式のＭＲＩ装置である。図１（ｂ）は開放感を高めるために磁石を上下に分離したハンバーガー型（オープン型）の垂直磁場方式のＭＲＩ装置である。また、図１（ｃ）は、図１（ａ）と同じトンネル型のＭＲＩ装置であり、磁石の奥行を短くし且つ斜めに傾けることによって、開放感を高めたものである。本実施形態のＭＲＩ装置は、これらの形態のＭＲＩ装置を含む公知の構造のＭＲＩ装置を用いることができる。また、これに限定されるものではなく、ＭＲＩ装置の形態やタイプを問わず用いることができる。
【００１４】
本実施形態のＭＲＩ装置の詳細を説明する。図２は、本実施形態のＭＲＩ装置の機能ブロック図である。本図に示すように、本実施形態のＭＲＩ装置は、被検体１が置かれる空間に、静磁場を発生する静磁場コイル２と、静磁場に直交する三方向の傾斜磁場を与えるための傾斜磁場コイル３と、被検体１の計測領域に対し高周波磁場（パルス）を照射する計測用高周波コイル５（以下、単に送信コイルという）と、被検体１から発生する核磁気共鳴信号を受信する受信用高周波コイル６（以下、単に受信コイルという）とを備える。また静磁場均一度を調整するシムコイル４を備えていてもよい。
【００１５】
静磁場コイル２は、図１に示す装置の構造に応じて、種々の形態のものが採用される。傾斜磁場コイル３及びシムコイル４は、それぞれ傾斜磁場用電源部１２及びシム用電源部１３により駆動される。図２では、送信コイル５と受信コイル６とを独立に示しているが、送信用と受信用を兼用する一つの高周波コイルのみとする構成であってもよい。送信コイル５が照射する高周波磁場（パルス）は、送信機７により生成される。本実施形態で照射される信号抑圧パルスも、送信機７により生成され、送信コイル５により照射される高周波磁場パルスの１つである。受信コイル６が検出した核磁気共鳴信号は、受信機８を通して計算機９に送られる。
【００１６】
シーケンス制御装置１４は、傾斜磁場発生コイル３の駆動用電源部（傾斜磁場用電源部）１２、シムコイル４の駆動用電源部（シム用電源部）１３、送信機７及び受信機８を制御する。制御のタイムチャート（パルスシーケンス）は撮影方法によって予め設定され、後述する記憶装置１１に格納される。
【００１７】
計算機９は、核磁気共鳴信号に対して様々な演算処理を行いスペクトル情報、画像情報等を生成する。上記演算処理には、核磁気共鳴信号の補正処理が含まれる。また、本実施形態の計算機９は送信機７が生成する最適な信号抑圧パルスの強度を決定するための演算を行うパルス強度調整処理部９０を備える。パルス強度調整処理部９０による最適な信号抑圧パルスの強度の決定手法については後述する。なお、パルス強度調整処理部９０による演算は、ＭＲＩ装置の外部の他の計算機で行うよう構成してもよい。
【００１８】
計算機９には、ディスプレイ１０、記憶装置１１、入力装置１５などが接続され、上述したスペクトル情報や画像情報はディスプレイ１０に表示され、または、記憶装置１１に記録される。入力装置１５は、ＭＲＩ装置による計測の条件や演算処理に必要な条件などの入力を受け付けるもので、受け付けた各種の条件等も必要に応じて記憶装置１１に記録される。
【００１９】
ここで、静磁場および高周波磁場パルスの空間的な不均一によって、不要信号の空間的な抑圧ムラが生じる原理を図３を用いて説明する。ここでは、説明を簡単にするために信号抑圧のためのパルスシーケンス（信号抑圧パルスシーケンス）では１回の信号抑圧パルスを照射するものとする。また、核磁化の緩和時間を無視する。
【００２０】
計算機シミュレーションで用いたガウシアン型の信号抑圧パルスのパルス強度の時間変化を図３（ａ）に示す。また、周波数方向におけるフリップアングルの分布を図３（ｂ）に示す。図３（ｃ）は、図３（ｂ）の送信周波数の中心（０Ｈｚ）付近を拡大したものである。ここでは、信号抑圧パルスの照射時間を４１．７ｍｓとする。これは、静磁場強度が１．５テスラのＭＲＩ装置において、１ｐｐｍ（約６４Ｈｚ）の励起帯域にあたる。励起帯域の基準として、信号抑圧パルスによって励起された励起プロファイルの半値幅を用いる。
【００２１】
緩和時間を無視した場合、信号抑圧パルスのフリップアングルをθとすると、信号抑圧パルスと傾斜磁場とを印加した後の不要な原子核の残留磁化は、ｃｏｓθの関数となる。従って、信号抑圧パルスのフリップアングルθが９０度のときに、不要信号の抑圧効果が最も高くなる。空間的な静磁場不均一によって、不要信号の共鳴周波数が信号抑圧パルスの送信周波数からずれた場合、不要信号が受ける信号抑圧パルスのフリップアングルθは９０度とならない。また、信号抑圧パルスを照射する高周波磁場コイルの空間的な不均一が生じる場合も、所望のフリップアングルθは得られない。
【００２２】
このように、静磁場および送信磁場の不均一があると、それに起因して所望のフリップアングルが達成できなくなるため、信号抑圧パルスによる不要信号の抑圧効果は減少する。本実施形態では、フリップアングルにずれが生じたとしても、信号抑圧効果が減少しにくい最適な３つの信号抑圧パルス強度の組み合わせを決定する。
【００２３】
次に本実施形態のＭＲＩ装置で実行されるパルスシーケンスについて説明する。本実施形態では、水信号を抑圧する場合を例にあげて説明する。本実施形態のＭＲＩ装置は、不要な信号を抑圧するＣＨＥＳＳ法のパルスシーケンス（以下、ＣＨＥＳＳシーケンスと呼ぶ。）と、不要信号を抑圧下で代謝物質を画像化するＭＲＳＩのパルスシーケンス（ＭＲＳＩシーケンスと呼ぶ。）とを、この順に実行する。以下、両シーケンスの詳細を説明する。
【００２４】
まず、本計測として行われるＭＲＳＩシーケンスの一例を図４に示す。図４において、ＲＦは高周波磁場パルスの印加タイミングを、Ｇｘ、Ｇｙ、Ｇｚは、それぞれ、ｘ、ｙ、ｚ方向の傾斜磁場パルスの印加タイミングを、Ａ／Ｄは信号の計測期間を示す。本図に示すパルスシーケンスは、公知のＭＲＳＩのパルスシーケンスと同じである。このパルスシーケンスでは、１つの高周波磁場パルス（励起パルス）ＲＦ１と２つの高周波磁場パルス（反転パルス）ＲＦ２、ＲＦ３とを用い、所定の関心領域を選択的に励起し、この関心領域からＦＩＤ信号（自由誘導減衰）ＦＩＤ１を得る。このパルスシーケンスによって励起される領域を図５に示す。以下、図４に示す本実施形態のＭＲＳＩシーケンスの動作を、図５を用いて簡単に説明する。
【００２５】
まず高周波磁場パルスＲＦ１とｚ方向の傾斜磁場パルスＧｓ１、Ｇｓ１’とを印加し、ｚ方向の断面８０１を励起する。そのＴＥ／４（ここで、ＴＥはエコー時間）時間後、高周波磁場パルスＲＦ２とｙ方向の傾斜磁場Ｇｓ２とを印加する。その結果、ｚ方向の断面８０１とｙ方向の断面８０２とが交差する領域における核磁化の位相のみが戻る。続いて、高周波磁場パルスＲＦ２印加後からＴＥ／２後に高周波磁場パルスＲＦ３とｘ方向の傾斜磁場Ｇｓ３とを印加する。このようにして、ｚ方向の断面８０１、ｙ方向の断面８０２、ｘ方向の断面８０３が交差する関心領域８０４における核磁化の位相のみを戻し、その領域からの自由誘導減衰信号ＦＩＤ１を計測する。
【００２６】
なお、図４において、Ｇｄ１〜Ｇｄ４およびＧｄ１’〜Ｇｄ４’は、高周波磁場パルスＲＦ１で励起された核磁化の位相は乱さず、高周波磁場パルスＲＦ２、ＲＦ３で励起された核磁化の位相をディフェイズするための傾斜磁場である。また、高周波磁場パルスＲＦ１と高周波磁場パルスＲＦ２との間には、ｘ方向およびｙ方向にそれぞれ位相エンコード傾斜磁場Ｇｐ１、Ｇｐ２が印加される。これらの位相エンコード傾斜磁場の強度を、１回の励起ごとに変化させ、関心領域８０４から発生する核磁気共鳴信号に位置情報を付与する。このように位置情報を付与した核磁気共鳴信号ＦＩＤ１を計測し、フーリエ変換を施すし、関心領域８０４に含まれる各代謝物質の分布画像を得る。
【００２７】
次にＣＨＥＳＳシーケンスについて説明する。ＣＨＥＳＳシーケンスは、本計測時の不要な水信号を低減するために、本計測である上述したＭＲＳＩシーケンスに先立って実行される。図６に、本計測がＭＲＳＩシーケンスの場合に通常用いられるＣＨＥＳＳシーケンスの一例を示す。
【００２８】
ＣＨＥＳＳシーケンスでは、水共鳴周波数を中心周波数とし、励起帯域を狭めた（１．０ｐｐｍ程度）ガウス型の高周波磁場パルスＲＦＣ１、ＲＦＣ２、ＲＦＣ３を信号抑圧パルスとして照射し、水に含まれる核磁化のみを励起する。各高周波磁場パルスＲＦＣ１、ＲＦＣ２、ＲＦＣ３照射の後に、スポイラー傾斜磁場Ｇｓｐ１、Ｇｓｐ２、Ｇｓｐ３として、ｘ軸、ｙ軸、ｚ軸方向のいずれか１軸方向に順に傾斜磁場を印加する。このようなパルスシーケンスを実施することによって水に含まれる核磁化のみを疑似飽和させて抑圧する。
【００２９】
最後の信号抑圧パルスＲＦＣ３印加後、すなわち、本計測の励起パルス印加直前の水スピンの残留縦磁化（残留信号強度）は、各信号抑圧パルスＲＦＣ１、ＲＦＣ２、ＲＦＣ３の強度（フリップアングルθ１、θ２、θ３）を変数とする関数となる。従って、ＭＲＳＩシーケンスにおいて、不要な水信号を低減し、代謝物質の分布画像を得るためには、このＣＨＥＳＳシーケンスで用いられる信号抑圧パルスＲＦＣ１、ＲＦＣ２、ＲＦＣ３の強度を適切に調整することが重要である。本実施形態のＭＲＩ装置では、本計測に先立って、以下詳述するように、ＣＨＥＳＳシーケンスに用いる信号抑圧パルスの強度を調整する。
【００３０】
本実施形態では、信号抑圧パルスの強度の調整は、計算機９のパルス強度調整処理部９０によって行われる。図２に示すように、パルス強度調整処理部９０は、パルス強度比設定処理部９１と、計測制御処理部９２と、残留信号曲線計算処理部９３と、パルス強度決定処理部９４と、を備える。
【００３１】
パルス強度比設定処理部９１は、複数の信号抑圧パルスそれぞれの強度を設定する。計測制御処理部９２は、パルス強度比設定処理部９１で設定された複数の信号抑圧パルス間の強度（フリップアングル）比を維持しながら、信号抑圧パルスの強度（フリップアングル）を変化させ、所定のパルスシーケンス（ここでは、ＣＨＥＳＳシーケンス）を実行し、核磁気共鳴信号（以下、単に信号と呼ぶ。）の計測を行う。残留信号曲線計算処理部９３は、計測制御処理部９２により計測された信号から、残留信号（後述）を算出し、強度（フリップアングル）に応じた曲線（残留信号曲線）を算出する。パルス強度決定処理部９４は、残留信号曲線計算処理部９３が算出した残留信号曲線から所定の規則に従ってパルス強度を決定する。
【００３２】
以下、本実施形態のＭＲＩ装置において、これらの各処理部により信号抑圧パルスの強度を調整し、設定する手順（調整手順）を説明する。ここでは、ＣＨＥＳＳシーケンスの信号抑圧パルスが３つの場合を例にあげて説明する。上述のように、ＣＨＥＳＳシーケンスの信号抑圧パルス数は、これに限られない。図７は、本実施形態の信号抑圧パルスの強度の調整手順の処理フローである。また、図８は、本実施形態の残留信号強度をプロットした残留信号曲線のグラフである。
【００３３】
説明に先立ち、本実施形態の調整手順の概略を説明する。本実施形態では、まず、第一の条件下で信号抑圧パルスの強度を変化させ、３つの信号抑圧パルスの強度（フリップアングル）の組み合わせの中で、フリップアングルθに多少の誤差があったとしても、信号抑圧効果の変化が少ないものを決定する。具体的には、３つの信号抑圧パルスの強度（フリップアングル）比（θ：ｔθ：ｕθ）を維持しながらフリップアングル（パルス強度）θを変化させて、ＣＨＥＳＳシーケンスを実行し、取得した複数の信号から、極値を有する残留信号曲線を求める。そして、極値をとるフリップアングルθの中で最小のフリップアングルθ１を選択し、それを用いて、３つの信号抑圧パルスをθ１、ｔθ１、ｕθ１と決定する。
【００３４】
なお、最小のフリップアングルθ１を選択するのは、極値をとるフリップアングルの中で最もパルス強度の小さいものを選択するためである。３つの信号抑圧パルスの強度比を一定としているため、この選択により、極値をとるフリップアングルの中で、３つの信号抑圧パルスの強度（フリップアングル）の和が最小となるものを選択することになる。これにより、全体の信号抑圧パルス強度を他の極値を用いる場合に比べて小さくすることができ、ＳＡＲを抑えることができる。
【００３５】
次に、第一の条件下で得られた信号抑圧パルスの強度の組を、第二の条件下で変化させ、残留信号の強度をできるだけ小さくする信号抑圧パルスの強度の組を決定する。具体的には、３つの信号抑圧パルスのうち、いずれか２つの信号抑圧パルスの強度（フリップアングルθ）を固定し、残り１つの信号抑圧パルスの強度（フリップアングルθ）を変化させ、ＣＨＥＳＳシーケンスを実行し、取得した複数の信号から残留信号曲線を求める。そして、残留信号曲線の極値が０、あるいは０に最も近い値になる強度（フリップアングルθ２）を選択する。選択した１つの信号抑圧パルスの強度と、固定した２つの信号抑圧パルスの強度との組み合わせを、最適なパルス強度の組み合わせと決定する。以下、調整手順を詳細に説明する。
【００３６】
まず、パルス強度比設定処理部９１は、第２番目および第３番目の信号抑圧パルスＲＦＣ２、ＲＦＣ３の第１番目の信号抑圧パルスＲＦＣ１に対するフリップアングル比ｔ、ｕを定める（ステップ９０１）。３つの信号抑圧パルスＲＦＣ１、ＲＦＣ２、ＲＦＣ３のフリップアングルをそれぞれα、β、γとすると、a：β：γ＝θ：ｔθ：ｕθとする。以下、ｔ、ｕを、フリップアングル係数と呼ぶ。このとき、妥当な範囲で極値およびゼロクロス点を算出するため、フリップアングル係数ｔ及びｕに以下の制限を設ける。
１≦ｔ＜ｕ＜２、または、１≦ｕ＜ｔ＜２      （式１）
なお、ここでは、第１番目の信号抑圧パルスＲＦＣ１を基準とする場合を例にあげて説明するが、３つの信号抑圧パルスＲＦＣ１、ＲＦＣ２、ＲＦＣ３のいずれを基準としてもよい。いずれを基準とした場合であっても、他の２つの信号抑圧パルスのフリップアングル係数は、上記ｔ、ｕ同様の制限を設ける。
【００３７】
次に計測制御処理部９２は、ステップ９０１で定めた３つの信号抑圧パルスＲＦＣ１、ＲＦＣ２、ＲＦＣ３のフリップアングル比を維持しながら、フリップアングルθ自体を変化させ、シーケンス制御装置１４にＣＨＥＳＳシーケンスを実行させ、信号を計測させる。そして、残留信号曲線計算処理部９３は、計測毎の水信号の残留信号強度を算出し、残留信号曲線としてプロットする（ステップ９０２）。このときのプロット結果を図８に示す。１００１は、各フリップアングルθにおいて水信号の残留信号の強度をプロットした残留信号曲線である。
【００３８】
なお、フリップアングルθは、残留信号曲線の極値をとるパルス強度（フリップアングルθ）が含まれる範囲で変化させればよい。具体的には、残留信号曲線の一端（初期値）は、予め調整した９０度パルスの強度である基準値より小さいフリップアングルとする。なお、基準値は、コイルや部位ごとに予め調整して保持していた値を用いてもよい。一方、他端（終端値）は、極値をとる信号抑圧パルスの強度を経験等から推定し、そのパルス強度より大きく、１８０度パルスの強度より小さいフリップアングルとする。
【００３９】
また、計測回数（フリップアングルθを変化させる回数）、すなわち、取得する信号数は、プロットする範囲内に極値をとるパルス強度（フリップアングルθ）が含まれていればよく、特に限定されない。例えば、１０点等、数点でもよい。なお、残留信号曲線１００１は、取得信号の多項式フィッティング、モデル関数のパラメータを変化させてのフィッティングなど、各種フィッティング法を用いて算出してもよい。図８（ａ）に示す例は、フリップアングルθを５０度から１１０度の間で変化させ、１２回計測したものである。本図の例では、残留信号曲線１００１は、１００２と１００３との２つの極値を有する。
【００４０】
次に、パルス強度決定処理部９４は、ステップ９０２で算出した残留信号曲線１００１が極値を持つか否かを判定し、結果をパルス強度比設定処理部９１に通知する（ステップ９０３）。極値を持たないと判定された場合、パルス強度比設定処理部９１は、ステップ９０１に戻り、上記式１の範囲で第２番目の信号抑圧パルスのフリップアングル係数ｔ、または/および、第３番目の信号抑圧パルスのフリップアングル係数ｕを、ｔ，ｕ間の差を拡大するよう変化させ、再設定する。すなわち、ｔ＜ｕの場合はｔを減少させ、または/および、ｕを増加させる、また、ｔ＞ｕの場合はｔを増加させ、または/および、ｕを減少させる。
【００４１】
一方、ステップ９０３において極値を持つと判定された場合は、パルス強度比設定処理部９１は、残留信号曲線１００１上で極値（図８の１００２及び１００３）をとるフリップアングルθを全て抽出し、抽出したフリップアングルθのうち、最小のフリップアングルθ１（図８の１００４）を選択する（ステップ９０４）。このθ１を用いて、３つの信号抑圧パルスＲＦＣ１、ＲＦＣ２、ＲＦＣ３のフリップアングルα、β、γをθ１、ｔθ１、ｕθ１とする。
【００４２】
次に、パルス強度比設定処理部９１は、３つの信号抑圧パルスＲＦＣ１、ＲＦＣ２、ＲＦＣ３のフリップアングルα、β、γ（＝θ１、ｔθ１、ｕθ１）のうち、１のフリップアングルのみ変化させて計測を行う。ここでは、例えば、ＲＦＣ１のフリップアングルα（＝θ１）のみ変化させる場合を例にあげて説明する。α＝φとし、βとγはそれぞれｔθ１、ｕθ１に固定してフリップアングルφを変化させて、シーケンス制御装置１４にＣＨＥＳＳシーケンスを実行させ、信号を計測させる。そして、残留信号曲線計算処理部９３は、計測毎の水信号の残留信号強度を算出し、残留信号曲線としてプロットする（ステップ９０５）。このときのプロット結果を図８（ｂ）に示す。１００５は、各フリップアングルφにおいて水信号の残留信号の強度をプロットした残留信号曲線である。
【００４３】
なお、フリップアングルφは、残留信号曲線が０または０に最も近い値となるフリップアングルφ（最適パルス強度）を含む範囲で変化させればよい。具体的には、残留信号曲線の一端（初期値）は、予め調整した９０度パルス強度である基準値より小さいフリップアングルとする。なお、基準値は、コイルや部位ごとに予め調整して保持していた値を用いてもよい。一方、他端（終端値）は、経験等から推定される最適パルス強度より大きく、１８０度パルス強度より小さいフリップアングルとする。
【００４４】
ここでも、計測回数（φを変化させる回数）、すなわち、取得する信号数は、プロットする範囲内に最適パルス強度をとるパルス強度が含まれていればよく、特に限定されない。例えば、５点等、数点であってもよい。また、残留信号曲線１００５は、取得信号の多項式フィッティング、モデル関数のパラメータを変化させてのフィッティングなど、各種フィッティング法を用いて算出してもよい。図８（ｂ）に示す例は、フリップアングルφを３５度から１２５度の間で変化させ、１０回計測したものである。本図の例では、残留信号曲線１００５は、ゼロクロス点１００６を有する。
【００４５】
次に、パルス強度決定処理部９４は、ステップ９０５で算出した残留信号曲線１００５がゼロクロス点を持つか否かを判定する（ステップ９０６）。ゼロクロス点を持たないと判定された場合、パルス強度比設定処理部９１にその旨通知し、通知をうけたパルス強度比設定処理部９１は、ステップ９０１に戻り、第２番目の信号抑圧パルスのフリップアングル係数ｔを減少させる、第３番目の信号抑圧パルスのフリップアングル係数ｕを増加させる等、上記式１の範囲でｔまたは/およびｕを変化させ、再設定する。
【００４６】
一方、ステップ９０６で、残留信号曲線１００５がゼロクロス点を持つと判定された場合は、パルス強度比設定処理部９１にその旨を通知する。通知を受けたパルス強度比設定処理部９１は、残留信号曲線１００５上で０あるいは０に最も近い値（図８の１００６）となるフリップアングルφ１（図８の１００７）を選択する（ステップ９０７）。
【００４７】
そして、パルス強度比設定処理部９１は、３つの信号抑圧パルスＲＦＣ１、ＲＦＣ２、ＲＦＣ３のフリップアングルα、β、γの組を、φ１、ｔθ１、ｕθ１と決定する（ステップ９０８）。
【００４８】
本実施形態では、以上の手順で調整したフリップアングルα、β、γでＣＨＥＳＳシーケンス等の特定の信号を抑圧するシーケンスを実行し、その後、図４に示すＭＲＳＩシーケンスを本計測として実行する。なお、以上においては、ＣＨＥＳＳシーケンスにおいて水信号を抑圧し、本計測としてＭＲＳＩシーケンスを行う場合を例にあげて説明した。しかし、抑圧する信号は、水信号だけでなく、脂肪信号などを含め、任意の物質であってもよい。また、本計測として行うシーケンスもＭＲＳＩに限らずＭＲＳあるいはＭＲＩなどであってもよい。
【００４９】
次に、本実施形態の調整手順により調整後の信号抑圧パルスを用いて、脂肪信号を抑圧して行うＭＲＩ計測の例を説明する。図９は、脂肪抑圧を行うシーケンスと本計測のＭＲＩシーケンスとを組み合わせたスピンエコーパルスシーケンスの一例である。図９において、ＲＦは高周波磁場パルスの印加タイミングを、Ｇｘ、Ｇｙ、Ｇｚは、それぞれ、ｘ、ｙ、ｚ方向の傾斜磁場パルスの印加タイミングを、Ａ／Ｄは信号の計測期間を示す。本図に示すパルスシーケンスは、公知の脂肪抑圧スピンエコーパルスシーケンスと同じである。このパルスシーケンスでは、ｚ軸に垂直な断面からスピンエコー信号Ｓｉｇを得る。この断面は、励起パルスＲＦ１と反転パルスＲＦ２とにより励起される断面である。
【００５０】
図９を用いて、脂肪信号を抑圧して計測を行う場合の画像取得手順を簡単に説明する。以下の処理は、予め定められたプログラムまたはユーザからの指示に従って、シーケンス制御装置１４が各部を動作させ、計算機９が処理を行うことにより実現される。
【００５１】
本パルスシーケンスは、脂肪による信号を抑圧する脂肪抑圧部１３０１と、所望の信号の計測を行う本計測部１３０２とを備える。脂肪抑圧部１３０１において、まず、脂肪抑圧用の広帯域な高周波磁場パルスＲＦ０１、ＲＦ０２、ＲＦ０３を、上記手順で調整した最適なパルス強度で照射して、不要な脂肪信号のみを励起する。その後、傾斜磁場パルスＧｓｐ１〜Ｇｓｐ３を印加し、励起された脂肪信号の位相を乱し、脂肪信号を消失させる。
【００５２】
本計測部１３０２において、高周波磁場パルスＲＦ１と傾斜磁場パルスＧｓ１、Ｇｓ１’とを印加し、ｚ方向に対して垂直な断面を励起する。そのＴＥ／２時間後、高周波磁場パルスＲＦ２と傾斜磁場Ｇｓ２とを印加する。その結果、上述と同一の断面における核磁化の位相のみを戻し、スピンエコー信号Ｓｉｇを測定する。なお、傾斜磁場Ｇｄ１、Ｇｄ２およびＧｄ１’、Ｇｄ２’は高周波磁場パルスＲＦ１で励起された核磁化の位相は乱さず、ＲＦ２で励起された核磁化の位相のみをディフェイズするための傾斜磁場である。
【００５３】
また、スピンエコー信号Ｓｉｇを取得する前に、ｘ軸方向の位相エンコード傾斜磁場Ｇｐ１を印加する。この位相エンコード傾斜磁場Ｇｐ１の強度を、１回の励起ごとに変化させ、励起断面から発生する核磁気共鳴信号にｘ方向の位置情報を付与する。また、ディフェイズ傾斜磁場Ｇｒ１及び周波数エンコード傾斜磁場Ｇｒ２をｙ方向に印加し、１回の励起で、励起断面から発生する核磁気共鳴信号に、ｙ方向の位置情報を付与する。以上の手順で得られた位置情報が付与されたスピンエコー信号Ｓｉｇをフーリエ変換し、脂肪信号が抑圧されたＭＲＩ画像を取得する。
【００５４】
ここでは、本実施形態の調整手順を、スピンエコーシーケンスに組み合わせる場合を例にあげて説明したが、これに限られない。グラディエントエコーシーケンスなど公知の各種のシーケンスと組み合わせることができる。例えば、非特許文献１及び以下に示す非特許文献２に示すパルスシーケンスに対しても適用できる。本実施形態の手順により調整された信号抑圧パルス強度を用いることにより、非特許文献１では全身に存在する皮下脂肪信号を有効に除去でき、診断能の高い拡散強調画像を取得できる。
【非特許文献２】ラディエイション  メディシン  第２２巻  第２７５頁〜２８２頁  ２００４年発行
【００５５】
以上説明したように、本実施形態によれば、３つの信号抑圧パルスを照射したときの残留信号曲線からその極値を算出し、さらに、３つの信号抑圧パルスの強度の和が小さい極値が、０あるいは０に最も近い値になるように、３つの信号抑圧パルスの強度の組み合わせを調整して決定する。その結果、信号抑圧シーケンス後の残留縦磁化は０または極小となり、静磁場及び送信磁場の空間的不均一があっても、代謝物質の検出に不要な信号を十分に抑圧できる。このため、診断能が向上する。また、３つの信号抑圧パルスの強度の和が他の極値を選択する場合に比べて小さくなるため、ＳＡＲの低減につながる。特に、水信号よりも微弱な代謝物質を計測するＭＲＳＩやＭＲＳにおいて有用である。
【実施例】
【００５６】
＜実施例１＞
本発明の効果を、従来法１と比較するために、Ｔ１緩和時間を２０００ｍｓ、Ｔ２緩和時間を無視した水信号をモデルとして、計算機シミュレーションを行った。
【００５７】
図１２は、従来法１による最適な信号抑圧パルス強度の決定法を説明するための図である。図１２（ａ）は、３つの信号抑圧パルス強度（フリップアングル）をそれぞれα、β、γとしたとき、α：β：γ＝θ：θ：θとして、θを変化させたときの水信号の残留信号率を示す曲線（残留信号率曲線）のグラフである。残留信号率が０となる点３０１のフリップアングルθの組み合わせは、α：β：γ＝θ：θ：θ＝１０６．６°：１０６．６°：１０６．６°である。
【００５８】
図１２（ｂ）は、水信号の残留信号率曲線の点３０１付近を拡大したものである。本図に示すように、従来法１による残留信号率曲線の、残留信号率が０の直線との交点３０１付近の勾配は急である。このため、パルス強度（フリップアングルθ）のずれによる残留信号率の変化は大きい。具体的には、図１２（ｂ）に示すように、残留水信号率が±０．５％以下となるθの範囲３０２は、およそ５度である。
【００５９】
このように、従来法１では、フリップアングルの空間的なずれが抑圧効果を低減させる率が高い。従って、静磁場と送信磁場の空間的不均一により水信号が受けるフリップアングルに空間的なずれが生じると、従来法１では、位置によって抑圧効果の差が大きくなる。
【００６０】
図１３は、本発明の調整手順で最適な信号抑圧パルス強度の決定手法を説明するための図である。図１３（ａ）は、本発明の調整手順を用い、計算機シミュレーションを行った結果の残留信号率曲線のグラフである。残留信号率が極値を有し、かつ、０または０に最も近い点４０１のフリップアングルの組み合わせは、α：β：γ＝７２．２°：８０．５°：１０８．３°である。
【００６１】
図１３（ｂ）は、水信号の残留信号率曲線４０１付近を拡大したものである。本図に示すように、本発明の調整手順による残留信号率曲線の、残留信号率が０の直線との交点４０１の勾配は緩やかである。このため、パルス強度（フリップアングルθ）がずれたとしても残留信号率の変化は少ない。具体的には、図１３（ｂ）に示すように、残留水信号率が±０．５％以下となるθの範囲４０２は、およそ１５度である。
【００６２】
このように、本発明の調整手順によれば、信号抑圧パルスによるシーケンス実施後の残留信号率が±０．５％以下となるθの範囲が従来法１より広い。すなわち、本発明の調整手法によれば、パルス強度（フリップアングルθ）のずれに起因する残留信号率の劣化が少ない。そのため、静磁場と送信磁場の空間的不均一が存在しても、空間的な信号抑圧ムラが低減される。
【００６３】
本発明の調整手順によれば、従来法１に比べて代謝物質の検出に不要な信号を十分に抑圧できるため、微量な代謝物質の検出能が向上し、診断能が向上する。
また、上述のように、３つの信号抑圧パルスの強度（フリップアングル）の和も、従来法１に比べ少ないため、ＳＡＲを低減できる。
【００６４】
以下、本発明の手法で決定したフリップアングルを用いて実際に計測を行った結果を説明する。
【００６５】
＜実施例２＞
Ｎ−アセチルアラニンファントムを用いた水抑圧計測を、従来法１と本発明の手法とを用いて行った。図１０（ａ）、（ｃ）は、従来法１で決定した水抑圧パルス強度を用いて水抑圧後、計測したスペクトル及び水信号画像である。また、図１０（ｂ）、（ｄ）は、本発明の調整手順で決定した水抑圧パルス強度を用いて水抑圧後、計測したスペクトル及び水信号画像である。ここで、図中、１１０１、１１０３はＮ−アセチルアラニン信号、１１０２、１１０４は水信号である。
【００６６】
本図の１１０２、１１０４に示すように、本発明の調整手順で決定した水抑圧パルス強度によれば、従来法１で決定した水抑圧パルス強度を用いる場合に比べ、水信号が約３倍抑圧される。つまり、本発明の調整手順によって決定した水抑圧パルス強度の組み合わせのほうが、より最適なものとなっていることが示されている。
【００６７】
また、図１０（ｂ）、（ｄ）に示すように、本発明の調整手順によれば、従来法１に比べて、水抑圧のムラがなく、均一に抑圧される。つまり、本発明の調整手順よって決定したパルス強度の組み合わせによって、静磁場および送信磁場の不均一性の影響を受けず、充分抑圧されることが示されている。
【００６８】
＜実施例３＞
人体頭部を用いた水抑圧計測例を、従来法１と本発明の手法とを用いて行った。一般に、上述したＮ−アセチルアラニンファントムよりも人体頭部の方が、静磁場不均一が大きい。図１１（ａ）、（ｃ）は、従来法１で決定した水抑圧パルス強度を用いて、水抑圧後、計測したスペクトル及び水信号画像である。また、図１１（ｂ）、（ｄ）は、本発明の調整手順で決定した水抑圧パルス強度を用いて水抑圧後、計測したスペクトル及び水信号画像である。ここで、図中１２０１、１２０５はコリン信号、１２０２、１２０６はクレアチン信号、１２０３、１２０７はＮ−アセチルアスパラギン酸信号、１２０４、１２０８は水信号である。
【００６９】
本図の１２０４、１２０８に示すように、本発明の調整手順で決定した水抑圧パルス強度によれば、従来法１で決定した水抑圧パルス強度を用いる場合に比べ、水信号が約３倍抑圧される。つまり、本発明の調整手順によって決定した水抑圧パルス強度の組み合わせの方が、より最適なものとなっていることが示される。また、本発明の調整手順によれば、静磁場不均一の影響が大きい人体頭部であっても、充分抑圧されていることが示される。
【図面の簡単な説明】
【００７０】
【図１】本発明の実施形態の核磁気共鳴撮影装置の全体構成と外観図である。
【図２】本発明の実施形態のＭＲＩ装置の機能ブロック図である。
【図３】静磁場および高周波磁場パルスの空間的な不均一により不要信号の空間的な抑圧ムラが生じる原理を説明するための図である。
【図４】本発明の実施形態のＭＲＳＩシーケンスを示す図である。
【図５】本発明の実施形態のＭＲＳＩシーケンスにより励起される領域を示す図である。
【図６】本発明の実施形態のＣＨＥＳＳシーケンスを示す図である。
【図７】本発明の実施形態の信号抑圧パルスの強度の調整手順の処理フローである。
【図８】本発明の実施形態の残留信号曲線のグラフである。
【図９】本発明の実施形態の脂肪抑圧スピンエコーパルスシーケンスを示す図である。
【図１０】水抑圧後、計測したスペクトル及び水信号画像の一例を示す図である。
【図１１】水抑圧後、計測したスペクトル及び水信号画像の一例を示す図である。
【図１２】従来法による最適な信号抑圧パルス強度の決定手法を説明するための図である。
【図１３】本発明の調整手順で最適な信号抑圧パルス強度の決定手法を説明するための図である。
【符号の説明】
【００７１】
２：静磁場コイル、３：傾斜磁場コイル、４：シムコイル、５：送信コイル、６：受信コイル、７：送信機、８：受信機、９：計算機、１０：ディスプレイ、１１：記憶装置、１２：傾斜磁場用電源部、１３：シム用電源部、１４：シーケンス制御装置、１５：入力装置、９０：パルス強度調整処理部、９１：パルス強度比設定処理部、９２：計測制御処理部、９３：残留信号曲線計算処理部、９４：パルス強度決定処理部
【図１】
2008272185.tif 000003
【図２】
2008272185.tif 000004
【図３】
2008272185.tif 000005
【図４】
2008272185.tif 000006
【図５】
2008272185.tif 000007
【図６】
2008272185.tif 000008
【図７】
2008272185.tif 000009
【図８】
2008272185.tif 000010
【図９】
2008272185.tif 000011
【図１０】
2008272185.tif 000012
【図１１】
2008272185.tif 000013
【図１２】
2008272185.tif 000014
【図１３】
2008272185.tif 000015